(57)【要約】本発明は、カードベース１０および表示デバイス２０を有するポータブルデータ記憶構成を提示し、この表示デバイス２０は、カードベース１０に固定されている。本発明によると、表示デバイス２０は、固定接続３１により、カードベース１０と部分的にのみ接続される。カードベース１０は、第１の面１１に第１の凹部１５を備え、該第１の凹部内に、前記表示デバイス２０が配置される。表示デバイス２０は、該表示デバイスの受動面２２の部分領域を介して、前記第１の凹部１５の底部１８に固定される。表示デバイス２０と前記カードベース１０との間の前記固定接続３１は、前記第１の凹部の前記底部１８のエッジの領域に提供される。【選択図】図１
2004517418.tif 000002
【特許請求の範囲】
【請求項１】
カードベース（１０）と表示デバイス（２０）とを有するポータブルデータ記憶構成であって、該表示デバイス（２０）は、該カードベース（１０）に固定される、ポータブルデータ記憶構成であって、
該表示デバイス（２０）は、固定接続（３１）により、該カードベース（１０）と部分的にのみ接続されることを特徴とする、ポータブルデータ記憶構成。
【請求項２】
前記カードベース（１０）は、第１の面（１１）に第１の凹部（１５）を備え、該第１の凹部内に、前記表示デバイス（２０）が配置されることを特徴とする、請求項１に記載のデータ記憶構成。
【請求項３】
前記表示デバイス（２０）は、該表示デバイスの受動面（２２）の部分領域を介して、前記第１の凹部（１５）の底部（１８）に固定されることを特徴とする、請求項２に記載のデータ記憶構成。
【請求項４】
前記表示デバイス（２０）と前記カードベース（１０）との間の前記固定接続（３１）は、前記第１の凹部の前記底部（１８）のエッジの領域に提供されることを特徴とする、請求項３に記載のデータ記憶構成。
【請求項５】
前記表示デバイス（２０）は、少なくとも前記第１の凹部（１５）の側壁（２７）の部分的領域で、該第１の凹部（１５）の該側壁に固定されることを特徴とする、請求項２に記載のデータ記憶構成。
【請求項６】
前記カードベース（１０）は、第１の接触素子（１３）を含み、前記表示デバイス（２０）は、第２の接触素子（２３）を備え、前記第１の接触素子および第２の接触素子は、互いに電気的および機械的に接続されることによって該固定接続（３１）を形成することを特徴とする、請求項１〜５のいずれか１つに記載のデータ記憶構成。
【請求項７】
少なくとも前記表示デバイス（２０）の前記能動面（２１）は、被覆層（１４）により被覆されることを特徴とする、請求項１〜６のいずれか１つに記載のデータ記憶構成。
【請求項８】
前記被覆層（１４）は、前記カードベース（１０）に固定されるが、前記表示デバイスへの固定接続は有しないことを特徴とする、請求項７に記載のデータ記憶構成。
【請求項９】
前記カードベース（１０）は、第２の凹部（１６）を備え、該第２の凹部の横方向寸法は、前記第１の凹部の該寸法よりも大きく、かつ該被覆層の該寸法とほぼ同じであり、該第１の凹部（１５）の側壁（１５）および該第２の凹部（１６）の側壁（１６）は、該被覆層（１４）のための支持面（３２）を生成するために、ほぼ等距離で配置されることを特徴とする、請求項７または８に記載のデータ記憶構成。
【請求項１０】
潤滑剤が、前記被覆層（１４）と前記表示デバイス（２０）の前記能動面（２１）との間に提供されることを特徴とする、請求項８または９に記載のデータ記憶構成。
【請求項１１】
潤滑剤が、前記第１の凹部（１５）の前記表示デバイス（２０）と前記底面（１８）との間に提供されることを特徴とする、請求項１〜１０のいずれか１つに記載のデータ記憶構成。
【請求項１２】
前記被覆層（１４）は、偏光膜であることを特徴とする、請求項７〜１１のいずれか１つに記載のデータ記憶構成。
【請求項１３】
前記固定接続（３１）は、導電性接着剤により生成されることを特徴とする、請求項１〜１２のいずれか１つに記載のデータ記憶構成。
【発明の詳細な説明】
【０００１】
本発明は、カードベースおよび表示デバイスを有するポータブルデータ記憶構成に関し、ここで、表示デバイスは、カードベースと固定接続される。
【０００２】
例えば、チップカード、クレジットカード、キャッシュカード等のデータ記憶構成において、例えば、液晶表示器（ＬＣＤ）、強誘電体液晶表示器、コレステリック液晶表示器または有機発光ダイオード（ＯＬＥＤ）等の表示デバイスを用いることが益々一般的になっている。その際、表示デバイスは、曲げ応力に対応し得るように、機械的に確実かつ安定した態様でデータ記憶構成のカードベース内に埋め込まれなければならない。
【０００３】
図３は、従来技術から公知の、データ記憶における表示デバイスの構成を示す。通常、カードベース１０は、表示デバイス２０が配置される凹部１５を有する。ここで、通常、この凹部１５の横方向の寸法は、表示デバイス２０の横方向の寸法に適合される。これによって、カードベース１０の第１の面１１は、表示デバイスの能動面２１とほぼ同一平面上で終端する。さらに、表示デバイス２０上に固定接続された被覆層１４が、通常、能動面２１上に配置され、これは、機械的保護を提供することを意味する。表示デバイス２０の受動面２２上に、凹部１５の底部１８上の対応する第１の接触素子１３と機械的および電気的に接続される第２の接触素子２３が位置する。第１の接触素子１３は、例えば、カードベース１０内の制御チップ（図示せず）と電気的に接続される。表示デバイス２０とカードベース１０との間に機械的接続を作製するために、表示デバイス２０の受動面２２は、凹部１５の底部１８と全面にわたって接続される。ここで、接続は、接着剤またははんだ接続によって作製され得る。表示デバイス２０の側壁もまた、凹部１５の側壁１７と、例えば、接着剤を用いて接続され得る。
【０００４】
本発明の目的は、使用中に、小さい機械的応力が表示デバイス上に作用するように、表示デバイスをデータ記憶構成に固定する、機械的に信頼できる手段を提供することである。
【０００５】
本目的は、請求項１の特徴によって満たされる。
【０００６】
本発明によると、表示デバイスは、固定接続によってカードベースと部分的にのみ接続されることが意図される。本実装技術は、表示デバイスにかかる横力またはせん断力がほとんどないことを意味する。その結果として、表示デバイスの信頼性、従って、データ記憶構成全体の信頼性が著しく改善され得る。
【０００７】
有利な実施形態は、従属請求項に記載される。
【０００８】
好適な実施形態において、カードベースは、表示デバイスが配置される第１の凹部を第１の面上に備える。表示デバイスの横方向の寸法が、第１の凹部の寸法と調和するように作製される場合、水準面は、カードベースの第１の面上に取得される。さらに、第１の凹部は、表示デバイスに対する機械的損傷に対する保護を提供する。
【０００９】
本発明の第１の実施形態において、表示デバイスは、受動面の部分的領域を介して第１の凹部の底部と固定される。さらなる実施形態によると、表示デバイスとカードベースとの間の固定接続が第１の凹部の底部のエッジの領域に提供される場合、表示デバイスとカードベースとの間に作用する横力およびせん断力が特に小さい。
【００１０】
第２の変形において、表示デバイスは、少なくとも第１の凹部の側壁の部分的領域で第１の凹部の側壁と固定される。従って、表示デバイスの能動面および受動面のどちらもカードベースとの固定接続を含まない。カードベースにおける表示デバイスの「浮動」支持は、両方の変形によって達成される。これによって、表示デバイスに作用する力は、カードベースの、例えば、曲げ応力が大きい状態であっても最小化される。
【００１１】
上述の本発明の実施形態において、表示デバイスそれ自体は、表示デバイスを制御するための関連する手段を備えることがすでに可能である。例えば、アンテナを介して信号を受信する適切な制御チップは、表示デバイスに直接組み込まれ得る。従って、このタイプの設計において、カードベース、または、むしろ、カードベース内に組み込まれた制御素子との電気的接続手段を用いずに行うこともまた可能である。
【００１２】
本発明の別の実施形態において、カードベースは、第１の接触素子を備え、表示デバイスは、第２の接触素子を備え、これらは、電気的および機械的に互いに接続されることによって固定接続を形成する。制御の手段は、この場合、例えば、カードベース内に配置されたチップに提供される。従って、このチップは、印刷導体を介して第１の接触素子と接続される。表示デバイスとカードベースとの間の固定接続は、好適には、第１の接触素子および第２の接触素子の領域においてのみ作製される。従って、表示デバイスおよびカードベースが互いに接続される領域は、接触素子の大きさによってのみ規定される。この領域は、好適には、表示デバイスの受動面の領域の１０％よりも小さい。表示デバイスの残りの領域は、本発明の主旨に従って、カードベースとの任意の固定接続を含まない。
【００１３】
さらなる実施形態において、少なくとも表示デバイスの能動面は、被覆層によって被われる。この場合、被覆層は、表示デバイスがカードベースに導入される前に、能動面にすでに固定され得る。あるいは、表示デバイスが最初にカードベース上に配置され得、その後、表示デバイスの能動面が被覆され得る。被覆層は、さらに、プロセスにおいて表示デバイスの能動面を被覆して、カードベースの第１の面の領域全体を占め得る。
【００１４】
被覆層は、好適には、カードベースに固定され、他方、表示デバイスへの固定された接続は有さない。従って、これは、表示デバイスが例えば、第１および第２の接触素子の領域においてのみカードベースと接続されることを意味する。従って、曲げ応力下の表示デバイスに作用し得る機械的応力は、最小である。
【００１５】
さらなる実施形態において、カードベースは、第２の凹部を備え、この凹部の横方向の寸法は第１の凹部よりも大きく、かつ被覆層の横方向の寸法とほぼ同じである。この場合、第１の凹部および第２の凹部のそれぞれの側壁は、被覆層のための支持面を生成するように、ほぼ等距離に配置される。従って、第２の凹部は、横方向の寸法が第１の凹部よりも大きいが、深さはより小さい。これにより、カードベースにおける第１の凹部および第２の凹部の階段形状の断面の輪郭が生じる。第１の凹部と第２の凹部との間に形成された階段は、その後、被覆層のための支持面を生成するために用いられる。ここで、第２の凹部の深さは、被覆層の厚さと調和するように適合されるので、データ記憶構成の第１の面が平坦な表面になる。
【００１６】
表示デバイスに作用する力のさらなる低減は、表示デバイスの被覆層と能動層との間に潤滑剤を提供することによって達成され得る。好適には、潤滑剤は、さらに、表示デバイスの受動面と第１の凹部の底部との間に提供される。
【００１７】
被覆層を偏光膜として設計することによって表示デバイスは、より良好に見える。
【００１８】
表示デバイスとカードベースとの間の固定接続は、好適には、導電性接着剤によって生成される。
【００１９】
本発明は、以下の例示的実施形態によって、より詳細に説明される。
【００２０】
以下において、同じ素子に対して、同じ関連符号が用いられる。
【００２１】
本発明によるデータ記憶構成の第１の例示的実施形態が図１に示される。第１の凹部１５は、カードベース１０の第１の面１１に提供される。第１の凹部１５の寸法と調和するように設計された表示デバイス２０は、この凹部に配置される。受動面２２において、表示デバイス２０は、接着剤３０を介して、対応する位置に配置された第１の接触素子１３と機械的および電気的に接続される第２の接触素子２３を含む。導電性接着剤は、好適には、第１の接触素子と第２の接触素子との間に電気的接触をさらに保証する接着剤として用いられる。第１の接触素子および第２の接触素子によって形成される接続３１は、表示デバイス２０とカードベース１０との間の唯一の固定接点を構成する。これは、受動面の残りの領域が、凹部１５の底部１８に関して移動し得ることを意味する。移動は、例えば、カードベースの屈曲の結果生じ得る。
【００２２】
表示デバイス２０の能動面２１は、被覆層１４によって保護される。本発明の主旨に従って、被覆層１４および表示デバイス２０は、これらの間に固定接続がある領域を有さない。この理由のために、被覆層１４は、カードベース１０と固定される。カードベース１０は、断面にて明瞭に見出され得るように、この目的のために、第１の凹部１５よりもいくらか大きい横方向寸法を有する。これにより、階段形状の断面の輪郭が生じる。従って、第１の面１１上に平坦な面を獲得するために、厚さが第２の凹部１６の深さと調和された被覆層１４は、支持領域３２に位置し、例えば、接着剤を用いて、この支持領域に固定され、場合によっては側壁１９に固定される。
【００２３】
屈曲の際に生じ得る横力およびせん断力を低減するために、潤滑膜が、有利にも、被覆層１４と能動面２１との間、および底部１８と受動面との間に導入される。この潤滑剤は、例えば、シリコーン油であり得る。
【００２４】
第１の凹部の気密封止は、被覆層１４とカードベース１０との間の固定接続によって取得される。被覆層１４は、好適には、偏光膜として設計される。この偏光膜は、一方で、接続３１の領域にて溶融する任意の様相を隠し得、他方、表示デバイスの可読性を向上する。
【００２５】
図１において、第１の接触素子１３および第２の接触素子２３から形成される接点３１は、第１の凹部１５の底部１８のエッジ領域に配置される。本発明は、せん断力を特に大幅に低減することを可能にする。図２に示され得るように、接点３１は、表示デバイスの受動面２２の領域全体に配置され得る。位置を問わず、表示デバイスにかかる応力は、当該分野に公知の構成よりも低減される。
【００２６】
図２に示される第２の例示的実施形態は、カードベース１０が第１の凹部１５のみを含む第１の例示的実施形態とはさらに異なる。被覆層１４がカードベース手段の面１１全体にわたって配置されるという事実は、被覆層のための支持面を形成するために第２の凹部を提供する必要がないことを意味する。第２の変形は、本発明によるデータ構成の、特に平坦な表面を可能にする。
【００２７】
図面は、カードベース１０と表示デバイス２０との間の接続が側壁１７の領域に作製される変形を示さない。
【００２８】
本発明は、表示デバイスが、カードベースが一部分領域にのみ固定されるデータ記憶構成を可能にする。従って、表示デバイスは、カードベースの広い領域にわたって接続されない。従って、表示デバイスは、既存のカードベースおよび任意の被覆層に対してスライドし得る。その結果、例えば、屈曲による表示デバイスに作用する応力が低減され得る。
【図面の簡単な説明】
【図１】
図１は、本発明によるデータ記憶構成の第１の例示的実施形態を示す。
【図２】
図２は、本発明による、データ記憶構成の第２の例示的実施形態を示す。
【図３】
図３は、当業者に公知のデータ記憶構成を示す。
【符号の説明】
１０  カードベース
１１  第１の面
１２  第２の面
１３  第１の接触素子
１４  被覆層
１５  第１の凹部
１６  第２の凹部
１７  側壁
１８  底部
１９  側壁
２０  表示デバイス
２１  能動面
２２  受動面
２３  第２の接触素子
２７  側壁
３０  接着剤
３１  接続
３２  支持面
【国際公開パンフレット】
2004517418.tif 000003
2004517418.tif 000004
2004517418.tif 000005
2004517418.tif 000006
2004517418.tif 000007
2004517418.tif 000008
2004517418.tif 000009
2004517418.tif 000010
2004517418.tif 000011
2004517418.tif 000012
2004517418.tif 000013
2004517418.tif 000014
2004517418.tif 000015
2004517418.tif 000016
【国際調査報告】
2004517418.tif 000017
2004517418.tif 000018
2004517418.tif 000019
2004517418.tif 000020
2004517418.tif 000021
2004517418.tif 000022